(57)【要約】【課題】光源を内蔵する腕時計において、電池交換を不要とするとともに、光源の輝度を上げることを可能とする。【解決手段】電磁誘導方式を用いた充電式腕時計において、複数の光源を備える。複数の光源としては、例えば内部を照らす第１光源１４と、外部を照らす第２光源１８とを備え、第１光源と第２光源の点灯を切り換えるスイッチ１３を設ける。マイコン３２で制御して第２光源を徐々に明るくなるように点灯するとよい。また、マイコンで、電圧検出素子（電圧検出手段）３１で検出した二次電池３３の電圧が一定電圧以下となったとき光源の点灯時間を短縮するようにするとよい。【選択図】　　　　図３
2004053378.tif 000002
【特許請求の範囲】
【請求項１】
電磁誘導方式を用いた充電式腕時計において、複数の光源を備えることを特徴とする、充電式腕時計。
【請求項２】
前記複数の光源として、内部を照らす第１光源と、外部を照らす第２光源とを備えることを特徴とする、請求項１に記載の充電式腕時計。
【請求項３】
前記第１光源と前記第２光源の点灯を切り換えるスイッチを備えることを特徴とする、請求項２に記載の充電式腕時計。
【請求項４】
前記第２光源を徐々に明るくなるように点灯するマイコンを備えることを特徴とする、請求項２または３に記載の充電式腕時計。
【請求項５】
前記光源の点灯時間を短縮するスイッチを備えることを特徴とする、請求項１ないし４のいずれかに記載の充電式腕時計。
【請求項６】
二次電池の電圧を検出する電圧検出手段と、その電圧検出手段で検出した電圧が一定電圧以下となったとき前記光源の点灯状態を制御するマイコンを備えることを特徴とする、請求項１ないし５のいずれかに記載の充電式腕時計。
【発明の詳細な説明】
【０００１】
【発明の属する技術分野】
この発明は、電磁誘導方式を利用して、別途備える充電器で充電回路の二次電池を充電する充電式腕時計に関する。
【０００２】
【従来の技術】
従来、充電できない一次電池を使用した腕時計で、光源を内蔵するものは知られていた。
【０００３】
【発明が解決しようとする課題】
ところが、光源は消費電流が大きく、複数の光源を設けたり、過度に使用したりすると、一次電池を消耗し、頻繁に電池交換を行わなければならなかった。このため、光源の輝度を上げることもできなかった。
【０００４】
そこで、この発明の第１の目的は、光源を内蔵する腕時計において、電池交換を不要とするとともに、光源の輝度を上げることを可能とすることにある。
【０００５】
この発明の第２の目的は、照明用の複数の光源を用いて腕時計の内外を照らすことにある。
【０００６】
この発明の第３の目的は、それら照明用の光源を用途に応じて使用者が簡単に使い分けできるようにすることにある。
【０００７】
この発明の第４の目的は、照明用の光源を使用者の目に優しく点灯することにある。
【０００８】
この発明の第５の目的は、照明用の光源を使用者の希望する時間だけ点灯可能とすることにある。
【０００９】
この発明の第６の目的は、電池容量が低下したことを使用者に報知するとともに、充電までの電池寿命を長くすることにある。
【００１０】
【課題を解決するための手段】
そのため、請求項１に記載の発明は、上述した第１の目的を達成すべく、電磁誘導方式を用いた充電式腕時計において、複数の光源を備える、ことを特徴とする。
【００１１】
請求項２に記載の発明は、上述した第２の目的を達成すべく、請求項１に記載の充電式腕時計において、複数の光源として、内部を照らす第１光源と、外部を照らす第２光源とを備える、ことを特徴とする。
【００１２】
請求項３に記載の発明は、上述した第３の目的を達成すべく、請求項２に記載の充電式腕時計において、第１光源と第２光源の点灯を切り換えるスイッチを備える、ことを特徴とする。
【００１３】
請求項４に記載の発明は、上述した第４の目的を達成すべく、請求項２または３に記載の充電式腕時計において、第２光源を徐々に明るくなるように点灯するマイコンを備える、ことを特徴とする。
【００１４】
請求項５に記載の発明は、上述した第５の目的を達成すべく、請求項１ないし４のいずれかに記載の充電式腕時計において、光源の点灯時間を短縮するスイッチを備える、ことを特徴とする。
【００１５】
請求項６に記載の発明は、上述した第６の目的を達成すべく、請求項１ないし５のいずれかに記載の充電式腕時計において、二次電池の電圧を検出する電圧検出手段と、その電圧検出手段で検出した電圧が一定電圧以下となったとき光源の点灯時間を短縮したり、消灯したり、暗く点灯したりして点灯状態を制御するマイコンを備える、ことを特徴とする。
【００１６】
【発明の実施の形態】
以下、図面を参照しつつ、この発明の実施の形態につき説明する。
図１には、電磁誘導方式を用いて充電を行う充電式腕時計Ａを示す。
【００１７】
充電式腕時計Ａは、時計バンド１１を取り付けた腕時計ケース１０の外周から、頭部を突出するかたちでリュウズ１２およびスイッチ１３を設ける。また、腕時計ケース１０周囲に隠れるようにして、腕時計Ａの内部を照らす第１光源１４を３つ備える。一方、内部に文字板１５を設け、その上で時針１６および分針１７を回動自在に設ける。文字板１５には３つの丸孔をあけ、それらの丸孔を透して露出して、腕時計Ａの外部を照らす第２光源１８を備える。第１の光源１４および第２光源１８は、ともに、例えばＬＥＤを用いてつくる。
【００１８】
図２には、図１に示す充電式腕時計Ａを充電する充電器Ｂを示す。
充電器Ｂは、全体コの字形状をなし、充電するとき充電式腕時計Ａの腕時計ケース１０部分を載せる載置台２０を設け、また先端のコネクタ２１をＡＣ電源に電気接続するＡＣコード２２をのばす。
【００１９】
図３には、それら充電式腕時計Ａおよび充電器Ｂの電気ブロック図を示す。
充電式腕時計Ａは、ムーブメント３０に、電圧検出素子（電圧検出手段）３１、マイコン３２、二次電池３３、整流回路３４を接続し、整流回路３４に二次コイル３５を接続する。一方、充電器Ｂには、一次コイル３６に整流回路３７を接続し、整流回路３７にＡＣコード２２を接続する。
【００２０】
そして、ＡＣコード２２を介して供給されるＡＣ電流を整流回路３７で整流して一次コイル３６で交流磁界を発生する。この交流磁界により、充電式腕時計Ａの二次コイル３５に交流電流を発生し、整流回路３４で整流して直流電流として二次電池３３を充電する。
【００２１】
電圧検出素子（電圧検出手段）３１は、このとき二次電池３３の電圧を検出する。電圧検出素子３１で満充電を検出したときは、マイコン３２で制御して第２光源１８を点灯して充電電流を消費する。
【００２２】
図４には、図１の充電式腕時計に備えるスイッチ１３と第１光源１４および第２光源１８とのタイミングチャートを示す。
【００２３】
この図４から判るとおり、スイッチ１３を一度押すと、第１光源１４を点灯し、二度押すと、第１光源１４を消灯して第２光源１８を点灯する。第２光源１８の点灯中に再度スイッチ１３を押すと、第２光源１８も消灯する。第１光源１４の点灯中にスイッチ１３を押さないと、一定時間経過後、第１光源１４を消灯する。第２光源１８の点灯中にスイッチ１３を押さないと、図示するとおり一定時間Ｔ経過後、第２光源１８を消灯する。
【００２４】
また、このときマイコン３２でＯＮ／ＯＦＦタイミングを制御して第２光源１８を徐々に明るくなるように点灯するので、外部照明用の第２光源１８を使用者の目に優しく点灯することができる。
【００２５】
図５には、図１の充電式腕時計に備える電圧検出素子３１と第２光源１８とのタイミングチャートを示す。
【００２６】
この図５から判るとおり、タイミング▲１▼で電圧検出素子３１の印加電圧が上昇して一定の判定電圧以上となったときは、電圧検出素子３１はＯＮとなり、第２光源１８を細かくＯＮ／ＯＦＦして明るく点灯する。
【００２７】
充電電流と二次電池３３を消費し、タイミング▲２▼で電圧検出素子３１の印加電圧が降下して一定の判定電圧以下となったときは、電圧検出素子３１はＯＦＦとなり、第２光源１８を粗くＯＮ／ＯＦＦして暗く点灯する。
【００２８】
同様に、タイミング▲３▼で電圧検出素子３１は再びＯＮとなり、第２光源１８を再度細かくＯＮ／ＯＦＦし、タイミング▲４▼で電圧検出素子３１は再びＯＦＦとなり、第２光源１８を再度粗くＯＮ／ＯＦＦする。これにより、第２光源１８は、充電中は点滅し、充電後は明るくなったり暗くなったりしながら点灯したままとする。そして、上述したように照明用を兼ねる第２光源１８を、充電状態を表示する表示手段としても利用する。
【００２９】
ところで、図示例の腕時計では、電圧検出素子３１の印加電圧が降下して一定の判定電圧以下となったとき、仮にスイッチ１３を押すと、マイコンで制御して第１光源１４および第２光源１８の点灯時間を自動的に短縮し、電池容量が低下したことを使用者に報知するとともに、充電までの電池寿命を長くすることができるようになっている。点灯時間を短縮する代りに、消灯したり、暗く点灯したりするようにしてもよい。
【００３０】
【発明の効果】
以上に説明したとおり、この発明によれば、複数の光源を内蔵する腕時計において、光源の点灯により消費電流が大きくなっても、充電器を用いて電磁誘導方式により充電を行うことができるので、電池交換を不要とするとともに、制約を受けずに光源の輝度を上げることができる。
【００３１】
請求項２に係る発明によれば、複数の光源として、内部を照らす第１光源と、外部を照らす第２光源とを備えるので、照明用の複数の光源を用いて腕時計の内外を照らすことができる。
【００３２】
請求項３に係る発明によれば、第１光源と第２光源の点灯を切り換えるスイッチを備えるので、それら照明用の光源を用途に応じて使用者が簡単に使い分けることができる。例えば自動車の鍵穴を探すときには第２光源を点灯し、また時間を知りたいときには第１光源を点灯する。
【００３３】
請求項４に係る発明によれば、第２光源を徐々に明るくなるように点灯するマイコンを備えるので、徐々に明るく点灯して照明用の光源を使用者の目に優しく点灯することができる。
【００３４】
請求項５に係る発明によれば、光源の点灯時間を短縮するスイッチを備えるので、スイッチを操作して照明用の光源を使用者が希望する必要な時間だけ点灯するようにし、無駄な点灯時間をなくすことができる。
【００３５】
請求項６に係る発明によれば、二次電池の電圧を検出する電圧検出手段と、その電圧検出手段で検出した電圧が一定電圧以下となったとき光源の点灯状態を制御するマイコンを備えるので、二次電池の電圧が一定電圧以下となったときマイコンで制御して光源の点灯時間を短縮したり、消灯したり、暗く点灯したりして電池容量が低下したことを使用者に報知するとともに、充電までの電池寿命を長くすることができる。
【図面の簡単な説明】
【図１】この発明の一例である、電磁誘導方式を用いて充電を行う充電式腕時計の正面図である。
【図２】図１に示す充電式腕時計を充電する充電器の斜視図である。
【図３】それら充電式腕時計および充電器の電気ブロック図である。
【図４】その充電式腕時計に備えるスイッチと第１光源および第２光源のタイミングチャートである。
【図５】その充電式腕時計に備える電圧検出素子と、表示手段である第２光源のタイミングチャートである。
【符号の説明】
Ａ　　充電式腕時計
Ｂ　　充電器
１３　　スイッチ
１４　　第１光源
１８　　第２光源
３１　　電圧検出素子（電圧検出手段）
３２　　マイコン
３３　　二次電池
【図１】
2004053378.tif 000003
【図２】
2004053378.tif 000004
【図３】
2004053378.tif 000005
【図４】
2004053378.tif 000006
【図５】
2004053378.tif 000007